(57)【要約】【課題】使いやすさと収納容量とを両立できるキャビネットを提供すること。【解決手段】キャビネットは、２つの側板、天板および背板を含み、前方に開口部を設けられたキャビネット本体と、前記２つの側板の少なくとも一方の前端部と平行な第１の回転軸を支点として回動可能であり、前記開口部を開閉可能に閉塞する扉と、前記キャビネット本体と前記扉との間に位置し、前記第１の回転軸と平行な第２の回転軸を支点として回動可能である収納部とを有する。前記扉および前記収納部は、前記キャビネット本体に別個に軸支されている。【選択図】図１
2014184067.tif 000002
【特許請求の範囲】
【請求項１】
２つの側板、天板および背板を含み、前方に開口部を設けられたキャビネット本体と、
前記２つの側板の少なくとも一方の前端部と平行な第１の回転軸を支点として回動可能であり、前記開口部を開閉可能に閉塞する扉と、
前記キャビネット本体と前記扉との間に位置し、前記第１の回転軸と平行な第２の回転軸を支点として回動可能である収納部と、を有し、
前記扉および前記収納部は、前記キャビネット本体に別個に軸支されている、
キャビネット。
【請求項２】
前記収納部は、連結部品により前記扉に連結されており、前記扉の開閉動作に連動して動くことができる、請求項１に記載のキャビネット。
【請求項３】
前記連結部品は、前記扉および前記収納部の一方に一端が固定された連結軸と、前記扉および前記収納部の他方に固定され、ガイド構造を有するガイド部と、前記連結軸の他端に固定され、前記ガイド構造にスライド自在に係合されたスライダーと、を有する、請求項２に記載のキャビネット。
【発明の詳細な説明】
【技術分野】
【０００１】
本発明は、例えばキッチンなどに設置されるキャビネットに関する。
【背景技術】
【０００２】
近年、キッチンなどに設置されるキャビネットとして、収納量が多いキャビネットが求められている。キャビネットの収納量を増大させるためには、キャビネットの奥行きを大きくすればよい。ところが、キャビネットの奥行きを大きくした場合、棚板の奥の部分に置いた物品が取り出しにくくなるという問題が生じてしまう。奥に置いた物品を取り出しやすくするためには、引き出し収納にすることが考えられる。しかしながら、引き出し収納には、ユーザーの腰より高い位置に採用することができないという問題がある。
【０００３】
これらの問題を解消する手段として、棚板の手前側の部分と奥側の部分とを分割し、手前側の部分を扉の裏側に取り付けることが提案されている（例えば、特許文献１）。特許文献１には、前方に開口部を設けられた収納ボックス本体と、前記開口部を開閉可能に閉塞する扉と、収納ボックス本体内の奥側に配置された複数の棚板と、収納ボックス本体内の手前側に配置された複数の棚板と、を有する収納ボックスが開示されている。奥側に配置された複数の棚板は、収納ボックス本体内に配置された支持フレームに取り付けられている。一方、手前側に配置された複数の棚板は、扉の裏側（内面）に取り付けられている。
【０００４】
特許文献１に記載の収納ボックスでは、収納ボックス本体内の収納部（棚板）の奥行きおよび扉の裏側に取り付けられた収納部（棚板）の奥行きが、いずれもユーザーが容易に手が届く範囲内である。このように、特許文献１に記載の収納ボックスは、奥行きの増大と、ユーザーによる物品の取り出しやすさとを両立している。
【先行技術文献】
【特許文献】
【０００５】
【特許文献１】実公平８−５６１５号公報
【発明の概要】
【発明が解決しようとする課題】
【０００６】
しかしながら、特許文献１に記載の収納ボックスには、扉の裏側に設けられた収納部の収納量を多くすることができないという問題がある。すなわち、特許文献１に記載の収納ボックスでは、扉を支持するヒンジに、扉および収納部の重量に加えて収納された物品の重量も加わる。このため、収納ボックス本体の奥行きを増大させたとしても、ヒンジの耐荷重の観点から、扉の裏側に設けられた収納部の収納量を多くすることができなかった。特に、キッチンなどに設置される大型のキャビネットでは、扉が大きく、その重量も大きいため、この問題は顕著である。
【０００７】
本発明は、かかる点に鑑みてなされたものであり、使いやすさと収納容量とを両立できるキャビネットを提供することを目的とする。
【課題を解決するための手段】
【０００８】
本発明者は、キャビネット本体と扉との間に、扉とは別個にキャビネット本体に軸支される収納部を設けることで、上記課題を解決できることを見出し、さらに検討を加えて本発明を完成させた。
【０００９】
すなわち、本発明は、以下のキャビネットに関する。
［１］２つの側板、天板および背板を含み、前方に開口部を設けられたキャビネット本体と、前記２つの側板の少なくとも一方の前端部と平行な第１の回転軸を支点として回動可能であり、前記開口部を開閉可能に閉塞する扉と、前記キャビネット本体と前記扉との間に位置し、前記第１の回転軸と平行な第２の回転軸を支点として回動可能である収納部と、を有し、前記扉および前記収納部は、前記キャビネット本体に別個に軸支されている、キャビネット。
［２］前記収納部は、連結部品により前記扉に連結されており、前記扉の開閉動作に連動して動くことができる、［１］に記載のキャビネット。
［３］前記連結部品は、前記扉および前記収納部の一方に一端が固定された連結軸と、前記扉および前記収納部の他方に固定され、ガイド構造を有するガイド部と、前記連結軸の他端に固定され、前記ガイド構造にスライド自在に係合されたスライダーと、を有する、［２］に記載のキャビネット。
【発明の効果】
【００１０】
本発明に係るキャビネットは、キャビネット本体内の収納空間を手前側の部分と奥側の部分とで分けて使用することができるため、キャビネット本体の奥行きを増大させても使いやすい。また、本発明に係るキャビネットは、使いやすさを維持しつつキャビネット本体の奥行きを増大させることができ、かつキャビネット本体に軸支される収納部の収納容量を大きくすることもできるため、収納容量が大きい。このように、本発明によれば、使いやすさと収納容量とを両立できるキャビネットを提供することができる。
【図面の簡単な説明】
【００１１】
【図１】図１は、本発明の一実施の形態に係るキャビネットを示す斜視図である。
【図２】図２Ａ，Ｂは、扉および収納部を示す斜視図である。
【図３】図３Ａ〜Ｃは、連結部品の使用態様を説明するための斜視図である。
【図４】図４Ａ〜Ｃは、連結時における扉およびフレームの動きを示す断面模式図である。
【図５】図５Ａ〜Ｃは、非連結時における扉およびフレームの動きを示す断面模式図である。
【発明を実施するための形態】
【００１２】
以下、本発明に係る実施の形態について、図面を参照して詳細に説明する。
【００１３】
図１は、本発明の一実施の形態に係るキャビネット１００を示す斜視図である。この図では、ユーザーＵがキャビネット１００を使用する様子を示している。図１に示されるように、本実施の形態に係るキャビネット１００は、前方に開口部を設けられたキャビネット本体１１０と、キャビネット本体１１０の開口部を開閉可能に閉塞する扉１２０と、キャビネット本体１１０と扉１２０との間に位置する収納部１３０とを有する。扉１２０は、キャビネット本体１１０に固定されたヒンジ１２３により軸支されている。また、収納部１３０は、キャビネット本体１１０に固定されたピボットヒンジ１３３により軸支されている。
【００１４】
図２Ａ，Ｂは、扉１２０および収納部１３０を示す斜視図である。これらの図では、扉１２０と、収納部１３０のフレーム１３１の構造を見やすくするために、収納部１３０の一部の収納容器（バスケット）１３２、ヒンジ１２１およびピボットヒンジ１３３を省略している。図２Ａでは、連結部品１３４により扉１２０と収納部１３０とが連結されている態様を示す。一方、図２Ｂでは、扉１２０と収納部１３０とが連結されていない態様を示す。
【００１５】
図１に示されるように、キャビネット本体１１０は、第１の側板１１１、第２の側板１１２、背板１１３、天板１１４、底板１１５および１または２以上の棚板１１６を有する。
【００１６】
第１の側板１１１および第２の側板１１２は、互いに平行に配置されている長方形状の平板である。第１の側板１１１および第２の側板１１２の奥行寸法は、互いに異なる。本明細書では、より大きい奥行寸法の側板を第１の側板１１１とし、より小さい奥行寸法の側板を第２の側板１１２とする。たとえば、第１の側板１１１の奥行寸法は、６５ｃｍ程度であり、第２の側板１１２の奥行寸法は、４５ｃｍ程度である。第１の側板１１１および第２の側板１１２の高さ寸法は、同一である。たとえば、第１の側板１１１および第２の側板１１２の高さ寸法は、２３５ｃｍ程度である。第１の側板１１１および第２の側板１１２は、いずれもその後端部が背板１１３に固定されているため、第１の側板１１１の前端部は、第２の側板１１２の前端部よりも前方（背板１１３から離れる方向）に位置する。
【００１７】
背板１１３は、第１の側板１１１および第２の側板１１２の後端部に、第１の側板１１１および第２の側板１１２に対して垂直となるように配置されている長方形状の平板である。ここで「第１の側板１１１および第２の側板１１２の後端部」とは、第１の側板１１１および第２の側板１１２の後側の縁だけでなく、その近傍も含む意味である。背板１１３の高さ寸法は、第１の側板１１１および第２の側板１１２の高さ寸法と同一である。たとえば、背板１１３の幅寸法は、６０ｃｍ程度である。
【００１８】
天板１１４は、第１の側板１１１、第２の側板１１２および背板１１３の上端部に配置されている平板である。ここで「第１の側板１１１、第２の側板１１２および背板１１３の上端部」とは、第１の側板１１１、第２の側板１１２および背板１１３の上側の縁だけでなく、その近傍も含む意味である。通常、天板１１４は、第１の側板１１１、第２の側板１１２および背板１１３に対して垂直となるように配置される。天板１１４の形状は、この後説明する扉１２０の形状に応じて適宜選択されうる。本実施の形態では、天板１１４の形状は、長方形の１つの角を切り落とすことで形成される五角形状である。
【００１９】
底板１１５は、第１の側板１１１、第２の側板１１２および背板１１３の下端部に配置されている平板である。ここで「第１の側板１１１、第２の側板１１２および背板１１３の下端部」とは、第１の側板１１１、第２の側板１１２および背板１１３の下側の縁だけでなく、その近傍も含む意味である。したがって、キャビネット１００を設置したときに、底板１１５は、キャビネット１００が設置されている場所の床に接触していなくてもよい。通常、底板１１５は、第１の側板１１１、第２の側板１１２および背板１１３に対して垂直となるように配置される。底板１１５の奥行寸法は、背板１１３と扉１２０との間に収まれば特に限定されないが、第２の側板１１２の奥行寸法以下であることが好ましい。このようにすることで、図１に示されるように、ユーザーＵがキャビネット１００内に入り込み、ウォークインクローゼットのようにキャビネット１００内を一度に見渡すことが可能となる。本実施の形態では、底板１１５の奥行寸法は、第２の側板１１２の奥行寸法と同じである。なお、キャビネット本体１１０は、底板１１５を有していなくてもよい。この場合は、キャビネット本体１１０が設置されている場所の床が底板１１５の代わりとなる。ここでは図示しないが、キャビネット本体１１０が底板１１５を有しない場合は、キャビネット１００内にキャビネットワゴンなどを取り出し可能に配置することもできる。
【００２０】
棚板１１６は、第１の側板１１１、第２の側板１１２、背板１１３、天板１１４および底板１１５により形成された収納空間内に配置された、被収納物を支持するための台である。棚板１１６の形状は、特に限定されないが、例えば長方形状の平板である。棚板１１６の奥行寸法は、第２の側板１１２の奥行寸法以下である。本実施の形態では、棚板１１６の奥行寸法は、第２の側板１１２の奥行寸法と同じである。棚板１１６の数および配置位置は、特に限定されず、キャビネット１００の大きさや用途などに応じて適宜選択される。図１に示される例では、４枚の棚板１１６が、収納空間内に水平に配置されている。
【００２１】
扉１２０は、キャビネット本体１１０の前方に設けられた開口部を開閉可能に閉塞する。扉１２０は、第２の側板１１２側（好ましくは第２の側板１１２の前端部近傍）に配置された、第２の側板１１２の前端部と平行な第１の回転軸を支点として回動可能となるように軸支されている。本実施の形態では、扉１２０は、複数のヒンジ１２３を介して第２の側板１１２の前端部に固定されている。また、本実施の形態では、第１の回転軸は、第１の側板１１１および第２の側板１１２の内面と平行であり、かつ天板１１４および底板１１５の内面に対して垂直である。
【００２２】
扉１２０は、扉１２０を閉じた状態の時に第１の側板１１１側に位置する正面部１２１と、第２の側板１１２側に位置する接続部１２２とを含む。正面部は、扉１２０を閉じた状態の時に第１の側板１１１に対して垂直となるように形成される。本実施の形態では、正面部１２１は、長方形状の略平板である。一方、接続部１２２は、正面部１２１と第２の側板１１２の前端部とを接続するように形成される。ここで「正面部１２１と第２の側板１１２の前端部とを接続する」とは、接続部１２２の第２の側板１１２側の端部と、第２の側板１１２の前端部とを近接させることを意味する。したがって、接続部１２２の第２の側板１１２側の端部と、第２の側板１１２の前端部との間に、扉１２０を回動させるために必要な隙間が形成されていてもよい。本実施の形態では、接続部１２２は、長方形状の略平板である。この平板は、扉１２０を閉じた状態の時に背板１１３に対して傾斜している（図４Ａおよび図５Ａ参照）。なお、接続部１２２の形状は、正面部１２１と第２の側板１１２の前端部とを接続することができれば特に限定されず、例えば外観がＲ面の曲板であってもよい。
【００２３】
収納部１３０は、キャビネット本体１１０と扉１２０との間に配置されている。収納部１３０は、扉１２０と同様に、第２の側板１１２側（好ましくは第２の側板１１２の前端部近傍）に配置された、第１の回転軸と平行な第２の回転軸を支点として回動可能となるように軸支されている。収納部１３０は、扉１２０用のヒンジ１２３とは別のヒンジを介してキャビネット本体１１０に軸支される。すなわち、扉１２０および収納部１３０は、キャビネット本体１１０に別個に軸支される。本実施の形態では、収納部１３０は、２つのピボットヒンジ１３３を介して天板１１４および底板１１５の第２の側板１１２側の前端部に固定されている。
【００２４】
収納部１３０は、キャビネット本体１１０に軸支されるフレーム１３１と、フレーム１３１に支持される１または２以上の収納容器１３２とを有する。フレーム１３１は、２つのピボットヒンジ１３３を介してキャビネット本体１１０に回動可能となるように取り付けられている。収納容器１３２は、扉１２０ではなくフレーム１３１に固定されている。
【００２５】
フレーム１３１および収納容器１３２の形状は、キャビネット本体１１０と扉１２０との間に配置可能であれば特に限定されず、扉１２０および棚板１１６の形状などに応じて適宜選択されうる。たとえば、収納容器１３２は、深さのある容器であってもよいし、浅いトレーであってもよい。複数の収納容器１３２がフレーム１３１に固定されている場合、複数の収納容器１３２は、それぞれ異なる形状であってもよいし、同一形状であってもよい。
【００２６】
フレーム１３１および収納容器１３２の素材は、必要な強度を確保可能であれば特に限定されない。たとえば、フレーム１３１は、金属パイプを接続することで形成されうる。また、収納容器１３２は、樹脂または金属から形成されうる。本実施の形態では、収納容器１３２として、金属ワイヤーからなる６つのバスケットが、フレーム１３１に取り外し可能に固定されている。
【００２７】
本実施の形態に係るキャビネット１００では、扉１２０および収納部１３０（フレーム１３１）は、それぞれ独立に軸支されているため、個別に回動させることが可能である。また、図１および図２Ａに示されるように、連結部品１３４を用いて扉１２０とフレーム１３１とを連結することで、扉１２０の開閉動作に連動して収納部１３０を回動させることもできる。この場合、扉１２０の回転軸（第１の回転軸）とフレーム１３１の回転軸（第２の回転軸）とがずれているため、扉１２０の開き具合によって扉１２０とフレーム１３１との相対的な位置関係が変化する。このため、連結部品１３４の両端をそれぞれ扉１２０およびフレーム１３１に固定してしまうと、扉１２０を開閉することができなくなる。このような問題を解消すべく、本実施の形態では、一方の端部をスライド可能に取り付けることができる連結部品１３４を採用している。
【００２８】
図３Ａは、図２Ａにおいて破線で示される領域の拡大図である。図３Ａに示されるように、連結部品１３４は、連結軸１３４ａ、ガイド部１３４ｂおよびスライダー１３４ｃを含む。連結軸１３４ａの一端は、フレーム１３１の下部に回動可能に取り付けられている。連結軸１３４ａの他端には、スライダー１３４ｃが固定されている。ガイド部１３４ｂは、ガイド構造を有し、扉１２０の裏側（内面）の下部に固定されている。スライダー１３４ｃは、ガイド部１３４ｂに設けられたガイド構造にスライド自在に係合される。本実施の形態では、ガイド部１３４ｂとして、一方向に長い形状の貫通孔（ガイド構造）が形成され、かつ９０°に折り曲げられた金属板を使用している。また、スライダー１３４ｃとして、貫通孔の最小幅よりも径が小さい金属からなる円柱体を使用している。この円柱体（スライダー１３４ｃ）は、貫通孔（ガイド部１３４ｂのガイド構造）の長手方向にスライド可能である。
【００２９】
なお、連結部品１３４の構成は、少なくとも一方の端部をスライド可能に取り付けることができれば、図３Ａに示される構成に限定されない。たとえば、ガイド部１３４ｂには、貫通孔の代わりにレールが設けられていてもよい。また、連結軸１３４ａの扉１２０側の端部ではなく、フレーム１３１側の端部をスライドさせてもよい。
【００３０】
図３Ｂに示されるように、スライダー１３４ｃは、ガイド部１３４ｂから取り外すことができる。図３Ｃに示されるように、取り外されたスライダー１３４ｃは、フレーム１３１に取り付けられうる。このようにすることで、図２Ｂに示されるように、扉１２０とフレーム１３１とを非連結状態にすることができる。
【００３１】
図４Ａ〜Ｃは、連結部品１３４を用いて扉１２０とフレーム１３１とを連結した場合における、扉１２０およびフレーム１３１の動きを示すためのキャビネット１００の断面模式図である。これらの図では、収納容器１３２を省略している。
【００３２】
連結部品１３４を用いて扉１２０とフレーム１３１とを連結した場合、扉１２０を開閉すると、扉１２０に追従してフレーム１３１も移動する。したがって、ユーザーは、扉１２０を開けるだけで、キャビネット本体１１０内に収納された物品と、収納部１３０の収納容器１３２内に収納された物品の両方を取り出すことができる。図４Ａ〜Ｃに示されるように、扉１２０の回転軸（第１の回転軸）とフレーム１３１の回転軸（第２の回転軸）がずれているため、扉１２０の開き具合によって扉１２０とフレーム１３１との相対的な位置が変化する。本実施の形態では、連結軸１３４ａの一方の端部に固定されたスライダー１３４ｃをガイド部１３４ｂの貫通孔に沿ってスライドさせることで、扉１２０とフレーム１３１との相対的な位置を変化させつつ、扉１２０に追従してフレーム１３１を移動させることを実現している。
【００３３】
図５Ａ〜Ｃは、扉１２０とフレーム１３１とを連結しない場合における、扉１２０およびフレーム１３１の動きを示すためのキャビネット１００の断面模式図である。これらの図でも、収納容器１３２を省略している。
【００３４】
扉１２０とフレーム１３１とが連結されていない場合、図５Ａ〜Ｃに示されるように、扉１２０を開閉すると、扉１２０のみが移動する。したがって、ユーザーは、収納部１３０の裏側（扉１２０側）から、収納容器１３２内に収納された物品を取り出すことができる。また、図示していないが、扉１２０を開いた後にフレーム１３１を動かすことで、キャビネット本体１１０内に収納された物品も取り出すことが可能となる。
【００３５】
以上のように、本実施の形態に係るキャビネット１００では、キャビネット本体１１０内の収納空間を手前側の部分と奥側の部分とで分けて物品を収納することができるため、キャビネット本体１１０の奥行きを増大させても使いやすい。また、本実施の形態に係るキャビネット１００では、扉１２０および収納部１３０（フレーム１３１）がそれぞれ独立に軸支されているため、収納部１３０の収納容量を大きくすることもできる。さらに、本実施の形態に係るキャビネット１００では、収納部１３０に物品を収納しても扉１２０に荷重が加わらないため、扉１２０の大型化を実現することが可能であり、その結果としてキャビネット１００の大型化も実現することが可能である。したがって、本実施の形態に係るキャビネット１００は、使いやすさと収納容量とを両立することができる。
【００３６】
また、本実施の形態に係るキャビネット１００は、扉１２０と収納部１３０とが独立しているため、現場での組立施工および扉１２０の調整が容易である。
【００３７】
なお、本実施の形態では、第１の側板１１１の奥行き寸法と第２の側板１１２の奥行き寸法とが異なるキャビネット１００について説明したが、第１の側板１１１と第２の側板１１２の奥行き寸法は同一であってもよい。また、扉の１２０の形状も、特に限定されず、キャビネット本体１１０の開口部の形状に応じて適宜選択されうる。
【００３８】
また、本実施の形態では、扉１２０の回転軸（第１の回転軸）および収納部１３０の回転軸（第２の回転軸）が互いにずれているキャビネット１００について説明したが、第１の回転軸および第２の回転軸は互いに重なっていてもよい。この場合も、扉１２０および収納部１３０（フレーム１３１）は、それぞれ異なる支持部材（例えばヒンジやピボットヒンジなど）によりそれぞれ独立に支持される。また、本実施の形態では、扉１２０の回転軸（第１の回転軸）および収納部１３０の回転軸（第２の回転軸）が第２の側板１１２側に位置するキャビネット１００について説明したが、第１の回転軸および第２の回転軸は第１の側板１１１側に位置してもよい。
【産業上の利用可能性】
【００３９】
本発明に係るキャビネットは、例えばキッチンカウンターと並列して設置される背面収納に好適である。
【符号の説明】
【００４０】
１００  キャビネット
１１０  キャビネット本体
１１１  第１の側板
１１２  第２の側板
１１３  背板
１１４  天板
１１５  底板
１１６  棚板
１２０  扉
１２１  正面部
１２２  接続部
１２３  ヒンジ
１３０  収納部
１３１  フレーム
１３２  収納容器
１３３  ピボットヒンジ
１３４  連結部品
１３４ａ  連結軸
１３４ｂ  ガイド部
１３４ｃ  スライダー
Ｕ  ユーザー
【図１】
2014184067.tif 000003
【図２】
2014184067.tif 000004
【図３】
2014184067.tif 000005
【図４】
2014184067.tif 000006
【図５】
2014184067.tif 000007